(57)【特許請求の範囲】
【請求項１】
撮影光学系の少なくとも一部を光軸方向に駆動するレンズ駆動部と、
前記レンズ駆動部の動作を検知する動作検知部と、
撮影光学系の少なくとも一部を駆動することにより、撮影面における被写体像のブレを補正するブレ補正駆動部と、
ブレを検出するブレ検出部と、
前記ブレ検出部の出力信号の所定周波数成分より高い周波数成分を遮断する周波数制限部と、
前記動作検出部が前記レンズ駆動部の動作を検出したときに、前記所定周波数を前記レンズ駆動部が駆動していないときの第１周波数よりも低い第２周波数とし、前記周波数制限部の出力に基づいて前記ブレ補正駆動部を制御する制御部と、
を備えることを特徴とするブレ補正カメラ。
【請求項２】
請求項１に記載のブレ補正カメラにおいて、
前記レンズ駆動部は、合焦用光学系を駆動する合焦レンズ駆動部である、
ことを特徴とするブレ補正カメラ。
【請求項３】
請求項１または請求項２に記載のブレ補正カメラにおいて、
前記ブレ補正駆動部は、前記撮影光学系の少なくとも一部からなるブレ補正光学系を駆動する
ことを特徴とするブレ補正カメラ。
【請求項４】
請求項１〜請求項３のいずれか１項に記載のブレ補正カメラにおいて、
前記周波数制限部は、露光時には前記第１周波数よりも低い周波数成分を出力している
ことを特徴とするブレ補正カメラ。
【発明の詳細な説明】
【０００１】
【発明の属する技術分野】
本発明は、撮影面における被写体像のブレ補正機能を備えるブレ補正カメラに関する。
【０００２】
【従来の技術】
従来のカメラは、撮影中に撮影者が僅かでも動くと撮影面において被写体像が移動し、得られた写真は、輪郭が不鮮明ないわゆるブレ写真となっていた。これに対して、最近は、露光中に撮影光学系の一部又は全部からなるブレ補正光学系（以下「ＶＲレンズ」という）を撮影者の動きを打ち消すように移動させることにより、撮影面上における被写体像のブレを補正する機能を有するブレ補正カメラが研究・開発されている。
【０００３】
【発明が解決しようとする課題】
しかし、前述した従来のブレ補正カメラでは、それが自動合焦機能等をも備える場合に、種々の問題を有していた。
例えば、ブレ補正動作（以下「ＶＲ動作」という）と自動合焦動作（以下「ＡＦ動作」という）が同時に行われる場合には、一時的に大電力が必要とされる。ところが、一般にカメラは、その携帯性を良好に保つために、電力源として数本の単三電池を内蔵する程度である。そのために、上記のような場合は、十分な電力を確保することが困難となり、ＡＦ動作とＶＲ動作の一方又は双方が不安定になるという問題があった。
また、このような場合に、単にＡＦ動作時にＶＲ動作を停止することとすれば、ＡＦ動作完了時からＶＲ動作が正常な状態に戻るまでに相当の時間を要し、ブレ補正機能が一方的に犠牲となってしまう上、ＡＦ動作時に撮影者が観察する被写体像が揺れるために、フレーミングが困難になるという問題があった。
さらに、ＡＦ動作とＶＲ動作が同時に行われているときは、カメラの動作を制御しているＣＰＵにおいてＡＦ演算とＶＲ演算が同時に行われるために、ＣＰＵの処理速度が低下してしまうという問題もあった。
【０００４】
【課題を解決するための手段】
前記課題を解決するために、請求項１に係る発明は、撮影光学系の少なくとも一部を光軸方向に駆動するレンズ駆動部と、前記レンズ駆動部の動作を検知する動作検知部と、撮影光学系の少なくとも一部を駆動することにより、撮影面における被写体像のブレを補正するブレ補正駆動部と、ブレを検出するブレ検出部と、前記ブレ検出部の出力信号の所定周波数成分より高い周波数成分を遮断する周波数制限部と、前記動作検出部が前記レンズ駆動部の動作を検出したときに、前記所定周波数を前記レンズ駆動部が駆動していないときの第１周波数よりも低い第２周波数とし、前記周波数制限部の出力に基づいて前記ブレ補正駆動部を制御する制御部と、を備えることを特徴とするブレ補正カメラである。
【０００５】
請求項２に係る発明は、請求項１に記載のブレ補正カメラにおいて、前記レンズ駆動部は、合焦用光学系を駆動する合焦レンズ駆動部である、ことを特徴とするブレ補正カメラである。
【０００６】
請求項３に係る発明は、請求項１または請求項２に記載のブレ補正カメラにおいて、 前記ブレ補正駆動部は、前記撮影光学系の少なくとも一部からなるブレ補正光学系を駆動することを特徴とするブレ補正カメラである。
【０００７】
請求項４に係る発明は、請求項１〜請求項３のいずれか１項に記載のブレ補正カメラにおいて、前記周波数制限部は、露光時には前記第１周波数よりも低い周波数成分を出力していることを特徴とするブレ補正カメラである。
【０００８】
【発明の実施の形態】
以下、図面等を参照して、実施形態について、さらに詳しく説明する。
（第１実施形態）
図１は、本発明にかかるブレ補正カメラの第１実施形態を示すブロック図である。
電源１は、不図示のメインスイッチが投入されることにより、本実施形態に電力を供給するものである。
スイッチＳ１は、レリーズボタンの半押しにより、Ｓ２は、レリーズボタンの全押しにより、それぞれｏｎ状態となるスイッチである。本実施形態では、スイッチＳ１がｏｎとなるとシャッタースピードや焦点距離の調節などの撮影準備が行われ、また、スイッチＳ２がｏｎとなるとレリーズ動作が行われ、露光が開始される。
【０００９】
ＣＰＵ４は、被写体の光量を検出するＡＥセンサ７、被写体までの距離を検出するＡＦセンサ５の出力を検出・処理すると共に、撮影終了後などにフィルムの巻き上げ、巻き戻し等を行う巻き上げ部８を制御する電子回路である。ＣＰＵ４は、ＡＥセンサ７の出力に応じてカメラのシャッタスピードや絞りを調整すると共に、ＡＦセンサ５の出力に応じて、ＡＦ動作に関する信号をＣＰＵ６の方へ出力する。
【００１０】
ＣＰＵ６は、ＡＦ駆動部１４等を制御すると共に、距離エンコーダ１５、ＶＲセンサ３等の出力を検出・処理する電子回路である。ＡＦ駆動部１４は、ＣＰＵ６の出力信号に基づいて、不図示の合焦用レンズ（以下「ＡＦレンズ」という）を撮影光学系の光軸方向へ前後移動させることにより撮影光学系を合焦させるものである。また、距離エンコーダ１５は、ＡＦレンズの駆動量をもとに、被写体までの距離を検出するためのセンサであり、本実施形態では、このセンサの出力によりＡＦレンズの駆動が検出される。
【００１１】
ＶＲセンサ３は、カメラのブレを検出するセンサである。ＶＲセンサ３の検出結果は、可変フィルタ１１を介してＣＰＵ６へ出力され、ＣＰＵ６において、その瞬間におけるカメラの姿勢（位置、速度、加速度、角度、角速度、角加速度等）が演算される。
【００１２】
ところで、ＶＲセンサ３は、低周波数成分から高周波数成分まで広い範囲の振動を検出可能である。しかし、本実施形態では、カメラブレを検出することが目的であるため、ＶＲセンサ３の検出結果のうち、ＣＰＵ６へ伝達するものの周波数帯域をある程度限定することが可能である。そこで、本実施形態は、入力信号のうち所定周波数（以下「ハイパス遮断周波数」という）より高い周波数成分のみを出力するハイパスフィルタと、所定周波数（以下「ローパス遮断周波数」という）より低い周波数成分のみを出力するローパスフィルタとをＶＲセンサ３とＣＰＵ６の間に配置し、ＣＰＵ６へ伝達される信号の周波数特性を制限している。ＣＰＵ６へ伝達される周波数の帯域、すなわち、ローパス遮断周波数からハイパス遮断周波数までの周波数帯域は、撮影者の手振れの周波数特性などを参考に定める。以下、簡単のため、この周波数帯域を「第一周波数域」という。
【００１３】
また、本実施形態では、ローパスフィルタとして遮断周波数が変更可能な可変フィルタを使用し、第一周波数域のローパス遮断周波数（以下「第一遮断周波数」という）より低い値（以下「第二遮断周波数」という）に切り換えることを可能としている。従って、ローパス遮断周波数を第二遮断周波数に設定した場合には、ＣＰＵ６へ伝達される信号の周波数帯域（以下「第二周波数域」という）は、第一周波数域の高周波数成分を除く中低周波数成分のみを含むものとなる。なお、図１では、上記の２種類のフィルタをまとめて一つのフィルタ（可変フィルタ１１）として図示している。
【００１４】
アクチュエータ１３は、後述するレンズ枠２３を光軸にほぼ垂直な面内において駆動させるためのものである。アクチュエータ１３の詳細については、図２等で説明する。
駆動回路９は、制限部１０を介してＣＰＵ６からＶＲ動作に関する制御信号の伝達を受けることにより、アクチュエータ１３を駆動する回路である。
また、制限部１０は、電源１より駆動回路９へ供給される電流を検出し、その値、すなわち、アクチュエータ１３へ供給される電流の合計値が所定値以上とならないように制限する回路である。
さらに、位置検出センサ１２は、レンズ枠２３の位置を検出するためのセンサである。
【００１５】
図２及び図３は、本実施形態のＶＲレンズを駆動する機構を説明するための図であり、図２は、ＶＲレンズを含む機構の正面図、図３は、図２のＡ−Ａ断面図である。
図２のほぼ中央に描かれている円形部材は、本実施形態のＶＲレンズ２１である。ＶＲレンズ２１は、その外周においてレンズ室２２により保持され、さらに、レンズ室２２は、外周においてレンズ枠２３によって保持されている。
【００１６】
弾性体３６〜３９は、レンズ枠２３をレンズ鏡筒内に支持するための金属製ワイヤなどである。弾性体３６は、光軸平行に設置され、それぞれの長さは、ほぼ同一である。従って、これらに支持されたレンズ枠２３は、光軸にほぼ垂直な面内において任意の方向へ可動であり、また、移動した結果、レンズ枠２３がその面に対して傾くことがない。
【００１７】
コイル２４、磁石２６、ヨーク２８、４０（又は、コイル２５、磁石２７、ヨーク２９、４１）は、図１に示すアクチュエータ１３であり、いわゆるヴォイスコイルモータ（以下「ＶＣＭ」という）を構成している。
コイル２４、２５は、細長い導電体のワイヤからなるコイル部材であり、互いに平行な２つの直線部と、それぞれの直線部の端を結ぶ２つの半円部とからなる陸上競技用トラックに類似した形状を有している。コイル２４、２５は、それぞれの直線部の垂直二等分線がＶＲレンズ２１のほぼ中心において、ほぼ直角に交わるように、レンズ枠２３の外縁部に取り付けられている。
【００１８】
ヨーク２８、４０及び磁石２６は、コイル２４を光軸方向に横切る磁界を形成するための部材であり、ヨーク２８とヨーク４０は、磁石２６を光軸方向に挟むように、また、ヨーク２８と磁石２６は、コイル２４を光軸方向に挟むように配置されている。同様に、ヨーク２９、４１及び磁石２７は、コイル２５を横切る磁界を形成するための部材であり、ヨーク２９とヨーク４１は、磁石２７を光軸方向に挟むように、ヨーク２９と磁石２７は、コイル２５を光軸方向に挟むように配置されている。
【００１９】
一方、コイル２４、２５は、前述の駆動回路９に接続されており、駆動回路９を介して電源１から電流の供給を受ける。コイル２４（２５）に電流が流れると、その電流と磁石２６（２７）より発生する磁界との間に電磁力（以下「推力」という）が発生する。この推力は、コイル２４（２５）に流れる電流の向きによってその向きを変え、また、電流の大きさに比例してその大きさを増減させるものである。
【００２０】
レンズ位置検出部３０（３１）は、レンズ枠２３の側面であって、コイル２５の直線部の垂直二等分線（ｘ軸）（コイル２４の垂直二等分線（ｙ軸））の延長上に位置している突起部であり、その中央部にほぼ光軸方向に進む光線が透過可能なスリット３２（３３）を有している。
【００２１】
フォトインタラプタ３４（３５）は、主に投光部と受光部とから構成される部材であり、その投光部と受光部によってレンズ位置検出部３０（３１）を光軸方向に挟むように設置されている（図３参照）。このように配置することにより、フォトインタラプタ３４（３５）は、投光部より照射され、スリット３２を透過した光を受光部において検出することにより、レンズ枠２３のｘ軸方向（ｙ軸方向）移動量を検出することが可能となっている。フォトインタラプタ３４によって検出されたレンズ枠２３の移動量に関する情報は、ＣＰＵ６にフィードバックされ、ＣＰＵ６は、それを基に駆動回路９へアクチュエータ１３を制御するための新たな制御信号を出力する。本実施形態では、このような動作を繰り返すことにより、ＶＲレンズ２１を所定の位置へ配置しブレ補正を行う。
【００２２】
次に、ＶＲレンズ２１の駆動機構の動作について説明する。
前述のように、ＣＰＵ６から制御信号の伝達を受けた駆動回路９は、アクチュエータ１３を駆動すべく、コイル２４、２５へそれぞれ適当な電流を供給する。これにより、ＶＲレンズ２１は、コイル２４、２５に流れる電流と、磁石２６、２７から発生する磁場との相互作用により生じる電磁力（推力）によって駆動される。ＶＲレンズ２１が、この推力により光軸中心から移動すると、レンズ枠２３を支持する弾性体３６〜３９は撓み、光軸に向かう方向のバネ力が発生する。この結果、ＶＲレンズ２１は、コイル２４、２５において発生する推力と、弾性体３６〜３９において発生するバネ力とが釣り合う位置まで移動する。
【００２３】
ここで、実際には、ＶＲレンズ２１を駆動する機構全体の質量が、弾性体３６〜３９に対し重力方向への力を作用させる他、ＶＲレンズ２１を駆動制御するときに、様々な力が発生するために、ＶＲレンズ２１は、これらの力と推力の釣り合った位置へ移動することとなる。さらにまた、コイル２４、２５には、ＶＲレンズ２１の移動により逆起電力が発生するために、ＶＣＭが発生する推力は低下し、ＶＲレンズ２１は、低下したこの推力とバネ力との釣り合いの位置へ移動する。
【００２４】
次に図４を用いて、本実施形態の動作について説明する。図４は、本実施形態の動作を示す流れ図である。
本実施形態では、メインスイッチ投入後（Ｓ１０１）にレリーズスイッチが半押しされ、スイッチＳ１がｏｎとなると（Ｓ１０２：Ｙｅｓ）、ＶＲセンサ３、ＡＦセンサ５、ＡＥセンサ７等に電力が供給され、これらセンサが稼働状態となる（Ｓ１０３）。一方、ＣＰＵ４、ＣＰＵ６は、各センサの出力に基づいて演算を行い、Ｔｖ値、Ａｖ値を決定し、不図示の表示部に表示する（Ｓ１０３）。次に、ＶＲ動作が開始される。すなわち、ＣＰＵ６がブレ補正制御を開始し、駆動回路９を介してＶＲレンズ２１を駆動させる（Ｓ１０４）。なお、この段階では、可変フィルタ１１のローパスフィルタは、第一遮断周波数に設定されており、ＣＰＵ６が受けるＶＲセンサ３からの出力信号は、第一周波数域のものである（以下、第一周波数域の信号に基づくＣＰＵ６のブレ補正制御を「第一ＶＲ制御」という）。
【００２５】
この後、ＡＦセンサ５の出力に基づいて、撮影面における被写体像の合焦状態が判断され、合焦していない場合は（Ｓ１０５Ｎｏ）、ＡＦ駆動部１４のＡＦ駆動が開始される（Ｓ１１６）。ＡＦ動作が開始されると、距離エンコーダ１５は、ＡＦレンズの位置を検出し、被写体までの絶対距離信号として出力する（Ｓ１１７）。ＣＰＵ６は、距離エンコーダ１５の出力を検知すると、直ちに可変フィルタ１１のローパス遮断周波数を第二遮断周波数に切り換える。この結果、ＣＰＵ６が可変フィルタ１１を介して得るＶＲセンサ３の出力信号は、第二周波数域の信号となり、ＣＰＵ６は、この第二周波数域の信号に基づいてＶＲ動作を制御する（以下、「第二ＶＲ制御」という）（Ｓ１１８）。
【００２６】
（Ｓ１０５）〜（Ｓ１１８）までの動作は、撮影面において被写体像が合焦するまで継続される。被写体像が合焦すると（Ｓ１０５Ｙｅｓ）、ＡＦレンズはその位置に位置決めされ、距離エンコーダ１５は、対応する信号を出力する、又は出力を停止することによりＣＰＵ６にＡＦ動作の終了を知らせる。これにより、ＣＰＵ６は、可変フィルタ１１のローパス遮断周波数を第一遮断周波数に切り換え、これにより、可変フィルタ１１からＣＰＵ６へ出力される信号は、第一周波数域の信号に戻る。この結果、ＣＰＵ６は、再び第一ＶＲ制御を行う（Ｓ１０６）。
【００２７】
次に、再度スイッチＳ１及びスイッチＳ２がｏｎであることが確認された後に（（Ｓ１０７Ｙｅｓ、Ｓ１０８Ｙｅｓ）、ＶＲレンズ２１のセンタリングが行われ（Ｓ１０９）、第一ＶＲ制御が続行される（Ｓ１１０）。なお、センタリングとは、ＶＲレンズ２１の駆動範囲が最も大きく取れるようにＶＲレンズ２１の中心を所定の初期位置に位置決めすることをいい、本実施形態の場合には、その中心が撮影光学系の光軸と一致するようにＶＲレンズ２１を位置決めしている。
【００２８】
第一ＶＲ制御が開始されると、その後直ちにクイックリターンミラー、絞り、シャッタ等を駆動し露光を開始する（Ｓ１１１）。さらに、所定時間経過後には、再びシャッタ、絞り、クイックリターンミラー等を駆動し、露光を終了する（Ｓ１１２）。露光終了後、ＶＲ動作を停止し（Ｓ１１３）、各センサへの電力供給を終了し（Ｓ１１４）、ＶＲレンズをリセットして（Ｓ１１５）一連の撮影は終了する。
【００２９】
以上説明したように、本実施形態では、ＡＦ動作が開始されるとローパス遮断周波数が第一遮断周波数からそれより周波数の低い第二遮断周波数に変更される。従って、ＣＰＵ６が取得するＶＲセンサ３からの信号は、通常より高周波数成分が除去された信号となり、ＣＰＵ６は、ブレの中低周波数成分のみに対応してブレ補正を行う第二ＶＲ制御を行う。
【００３０】
これにより、ＡＦ動作とＶＲ動作とに必要とされる合計電力は、手振れの全周波数を制御する第一ＶＲ制御を続行する場合に較べ、高周波側のＶＲ動作を行わない分だけ低減され、電源１が供給可能である値以下に抑制される。この結果、本実施形態では、ＡＦ動作とＶＲ動作が同時に行われる場合においても、一方又は双方の動作が不安定になることなく、常にカメラを安定に動作させることを可能としている。また、電源消耗時においても、本実施形態は、制御が不安定になることを防止することを可能としている。
【００３１】
また、一般にブレの振幅は、高周波数域で小さく、中低周波数域で大きいことから、高周波数域のブレを補正しない第二ＶＲ制御を行っても、その間のブレ補正の誤差は小さい。従って、本実施形態では、その後にブレ補正の制御方法を第一ＶＲ制御に切り換えた場合は、実用上十分短い時間の間に、再び精度の高い通常のブレ補正を行うことが可能となっている。
なお、一般に撮影者は、ファインダー上の被写体像を観察しているときは、静止している写真を見るときよりも、ブレに対する認識力が低い。従って、本実施形態のように、非露光時、すなわち、撮影者がファインダーを観察しているときに中低周波数成分のブレのみを補正することとしても、撮影者に不要の違和感を与えることはない。
【００３２】
さらに、本実施形態では、ＡＦ動作時に第二ＶＲ制御によるＶＲ動作を行うことにより、ＣＰＵのＶＲ制御に関する負荷を低減させている。従って、本実施形態では、ＡＦ動作及びＶＲ動作が同時に行われる場合であっても、ＣＰＵの処理速度が低下し、カメラの動作速度が低下することがない。
【００３３】
（第２実施形態）
次に本発明の第２実施形態について説明する。
図５は、本実施形態を示すブロック図である。また、図６は、本実施形態の動作を説明する流れ図である。なお、図５及び６において、第１実施形態と同様な機能を果たす部分には、同一の符号を付し、以下において重複する説明を適宜省略する。
【００３４】
本実施形態は、ＡＦ動作時は、ＶＲ動作の制御周波数を変更するのではなく、ＶＲレンズ２１の駆動範囲を制限する点において第一実施形態と異なる。従って、本実施形態では、ＶＲセンサ３とＣＰＵ６の間に可変フィルタ１１ではなく、手振れの周波数域（第一周波数域）の信号を出力する固定フィルタ１１ａを設け、ＣＰＵ６は、第一ＶＲ制御を行うこととした。
【００３５】
ＶＲレンズ２１の駆動可能範囲は、撮影光学系の光軸を中心としてレンズ枠２３等がレンズ鏡筒の内周面に接触するまでの範囲である。実際の制御においては、レンズ枠２３等がレンズ鏡筒に接触するまでＶＲ動作を行うと、レンズ枠２３が破損などする可能性があるために、位置検出センサ１２の検出結果に基づいてＣＰＵ６がＶＲレンズ２１の駆動範囲を制限している。
【００３６】
ところで、前述のように、本実施形態では、レンズ枠２３は、ＶＲレンズ２１の中心と撮影光学系の光軸との間の距離に比例した力を弾性体３６〜３９より受ける。このために、ＶＲレンズ２１を駆動するためには、その駆動範囲の広さに比例した駆動力が必要となり、駆動範囲が広いとそれだけ駆動時の消費電力が大きくなる。
【００３７】
そこで、本実施形態では、（Ｓ１１７）において距離エンコーダ１５がＡＦレンズの駆動を検出したときに、ＶＲレンズ２１の駆動範囲を通常より狭小に、例えば半分に制限することとした（Ｓ２１８）。これにより、本実施形態は、ＶＲ動作のために消費される電力量を抑制し、ＡＦ動作とＶＲ動作とが同時に行われる場合においても、供給電力の不足により一方又は双方の動作が不安定となることを防止している。
なお、ＡＦ動作が終了された後は、ＶＲレンズ２１の駆動可能範囲は、通常の範囲に復帰され（Ｓ２０６）、本実施形態は、通常のブレ補正を行う。
【００３８】
（第３実施形態）
次に本発明の第３実施形態について説明する。
本実施形態は、第１実施形態において、ＡＦ動作が行われているときにＶＲレンズ２１の駆動範囲を通常より狭小な範囲に制限するものである。すなわち、本実施形態では、図４における（Ｓ１１８）において、ブレ補正の制御方法を第一ＶＲ制御から第二ＶＲ制御に切り換えると同時に、ＶＲレンズ２１の駆動範囲を第一ＶＲ制御時の駆動範囲よりも狭小な範囲に設定する。
この結果、本実施形態は、ＡＦ動作とＶＲ動作とが同時に行われる場合の消費電力をさらに効果的に抑制するとともに、ＣＰＵの処理速度の低下をも防止することを可能としている。
【００３９】
（その他の実施形態）
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【００４０】
１）上記実施形態では、ＡＦ動作が行われているか否かは、距離エンコーダ１を用いてＡＦレンズの移動を検知することにより行っているが、これは、自動合焦用のアクチュエータの駆動を他の検出センサ等によって検出することであってもよい。
２）また、上記実施形態においては、ＶＲレンズ２１は、４本の弾性体によって保持される方法について説明しているが、これは、ＶＲレンズ２１を光軸に対して垂直な面方向に移動可能な状態で保持する手段であれば他の手段でもよく、互いに異なる２方向に駆動できるステージ等を使用することであっても良い。
【００４１】
３）さらに、第１実施形態では、可変フィルタ１１が第１遮断周波数と第２遮断周波数の２種類のローパス遮断周波数のみを備える場合について説明しているが、これは、ローパス遮断周波数をより多くの段階に又は無段階に設定できる可変フィルターを用い、ブレ補正の制御方法をよりきめ細かく変更することであってもよい。
４）なお、上記実施形態では、ＡＦ動作とＶＲ動作が同時に行われる場合について説明したが、本発明の技術思想は、その他のカメラの自動機構であって、動作時に電力を消費するものと、ブレ補正機構とが同時に稼働される場合にも適用可能なものである。従って、例えば、ズーミングレンズを内蔵のモータで駆動することにより撮影光学系の倍率を変えるパワーズーム機構とブレ補正機構とを同時に稼働する場合にも本発明を適用することが可能である。同様に、本発明は、巻き上げモータとブレ補正機構とを同時に稼働する場合にも適用可能である。
【００４２】
【発明の効果】
以上詳しく説明したように、本発明によれば、動作部とブレ補正駆動部とが同時に動作する場合においても、消費電力が少なく、動作部及びブレ補正駆動部の双方が安定に動作し、さらに制御部の制御速度を低下させることのないブレ補正カメラを提供することが可能である。
【図面の簡単な説明】
【図１】本発明に係る第１実施形態を示すのブロック図である。
【図２】第１実施形態におけるＶＲレンズを駆動する機構を説明する正面図である。
【図３】図２に示すＶＲレンズを駆動する機構のＡ−Ａ断面図である。
【図４】本発明に係る第１実施形態の動作を表す流れ図である。
【図５】本発明に係る第２実施形態を示すブロック図である。
【図６】本発明に係る第２実施形態の動作を表す流れ図である。
【符号の説明】
３  ＶＲセンサ                    ４  ＣＰＵ
６  ＣＰＵ                        ９  駆動回路
１１  可変フィルタ                １２  位置検出センサ
１３  アクチュエータ              １４  ＡＦ駆動部
１５  距離エンコーダ              ２１  ＶＲレンズ
２２  レンズ室                    ２３  レンズ枠
【図１】
0003692566.tif 000002
【図２】
0003692566.tif 000003
【図３】
0003692566.tif 000004
【図４】
0003692566.tif 000005
【図５】
0003692566.tif 000006
【図６】
0003692566.tif 000007